(57)【要約】【課題】蓋部を開けた際の内容物の視認性や取り出しやすさに優れた箱体を提供する。【解決手段】本発明の箱体１は、底部および底部から立ちあがる前壁１２および後壁１３を有し、上方が開放した収容空間を有する本体１０と、本体に接続され、後壁の上端よりも低い位置のヒンジ線を中心に回動することで収容空間を開閉可能な蓋部２０と、一端が蓋部に接続され、本体に対して移動可能に収容空間内に配置された底板部３０とを備え、底板部は、蓋部が閉じられた状態において底部上に配置される移動部３２ｂと、折線を挟んで移動部と連設され、連設方向における寸法が後壁の高さよりも長く、蓋部が閉じられた状態において移動部に対して第一の方向に、かつ前壁に向かって折れ曲がる反転部３２ｃとを有し、蓋部を所定量開くと、反転部が第一の方向と反対の第二の方向に折れ曲がる。【選択図】図１
2016132484.tif 000002
【特許請求の範囲】
【請求項１】
底部および前記底部から立ちあがる前壁および後壁を有し、上方が開放した収容空間を有する本体と、
前記本体に接続され、前記後壁の上端よりも低い位置のヒンジ線を中心に回動することで前記収容空間を開閉可能な蓋部と、
一端が前記蓋部に接続され、前記本体に対して移動可能に前記収容空間内に配置された底板部と、
を備え、
前記底板部は、
前記蓋部が閉じられた状態において前記底部上に配置される移動部と、
折線を挟んで前記移動部と連設され、連設方向における寸法が前記後壁の高さよりも長く、前記蓋部が閉じられた状態において前記移動部に対して第一の方向に、かつ前記前壁に向かって折れ曲がる反転部と、を有し、
前記蓋部を所定量開くと、前記反転部が前記第一の方向と反対の第二の方向に折れ曲がる、箱体。
【請求項２】
前記移動部は、内容物を支持する複数の支持部を有する、請求項１に記載の箱体。
【請求項３】
前記底板部は、前記移動部の前記反転部と反対側に設けられ、前記本体に固定された第一固定部をさらに有し、
前記収容空間が、前記第一固定部により規定される第一の空間と、前記移動部により規定される第二の空間とを有する、請求項１または２に記載の箱体。
【請求項４】
前記第一の空間に、注射針、薬剤、および前記薬剤の添付文書が収容され、
前記第二の空間に、前記注射針が取り付けられるシリンジが収容されている、請求項１から３のいずれか一項に記載の箱体。
【発明の詳細な説明】
【技術分野】
【０００１】
本発明は、箱体、より詳しくは、本体と蓋部とが開閉可能に接続された箱体に関する。
【背景技術】
【０００２】
一般的に、菓子類、宝飾品あるいは装身具などの小物品を収納する包装用容器は、所定の収納スペースと開口部を有した箱本体と、前記開口部に被せられる蓋体とで構成されている。蓋体は、箱本体と別体で構成されたり、蝶番等のヒンジ部材によって箱本体と連結し、開閉自在に接続されたりする。
特許文献１には、紙あるいは布で形成された蝶番で箱本体と蓋体とが接続された箱体が記載されている。
【先行技術文献】
【特許文献】
【０００３】
【特許文献１】特開２０１０−０８３５０８号公報
【発明の概要】
【発明が解決しようとする課題】
【０００４】
特許文献１に記載の箱体では、箱本体の深さ寸法が内容物に対して大きい等の場合に、蓋体を開けた時に内容物が見にくかったり、取り出しにくかったりする場合があるという問題がある。
【０００５】
本発明は、上記事情に鑑みてなされたものであり、蓋部を開けた際の内容物の視認性や取り出しやすさに優れた箱体を提供することを目的とする。
【課題を解決するための手段】
【０００６】
本発明は、底部および前記底部から立ちあがる前壁および後壁を有し、上方が開放した収容空間を有する本体と、前記本体に接続され、前記後壁の上端よりも低い位置のヒンジ線を中心に回動することで前記収容空間を開閉可能な蓋部と、一端が前記蓋部に接続され、前記本体に対して移動可能に前記収容空間内に配置された底板部とを備え、前記底板部は、前記蓋部が閉じられた状態において前記底部上に配置される移動部と、折線を挟んで前記移動部と連設され、連設方向における寸法が前記後壁の高さよりも長く、前記蓋部が閉じられた状態において前記移動部に対して第一の方向に、かつ前記前壁に向かって折れ曲がる反転部とを有し、前記蓋部を所定量開くと、前記反転部が前記第一の方向と反対の第二の方向に折れ曲がる箱体である。
本発明の箱体において、前記移動部は、内容物を支持する複数の支持部を有してもよい。
【０００７】
前記底板部は、前記移動部の前記反転部と反対側に設けられ、前記本体に固定された第一固定部をさらに有し、前記収容空間が、前記第一固定部により規定される第一の空間と、前記移動部により規定される第二の空間とを有してもよい。
このとき、前記第一の空間に、注射針、薬剤、および前記薬剤の添付文書が収容され、前記第二の空間に、前記注射針が取り付けられるシリンジが収容されてもよい。
【発明の効果】
【０００８】
本発明によれば、蓋部を開けた際の内容物の視認性や取り出しやすさに優れた箱体を提供することができる。
【図面の簡単な説明】
【０００９】
【図１】本発明の一実施形態の箱体を示す斜視図である。
【図２】同箱体における本体および蓋部の展開図である。
【図３】同箱体における底板部の展開図である。
【図４】同箱体におけるホルダ部の展開図である。
【図５】同箱体が閉じられた状態を示す模式図である。
【図６】同箱体が開かれる際の一過程を示す模式図である。
【図７】同箱体が開かれてロックされた状態を示す模式図である。
【図８】同箱体の変形例における蓋部の展開図である。
【図９】同箱体の変形例における本体の展開図である。
【図１０】同箱体の変形例における底板部の展開図である。
【図１１】同箱体の変形例におけるホルダ部の展開図である。
【発明を実施するための形態】
【００１０】
本発明の一実施形態について、図１から図１１を参照して説明する。
図１は、本実施形態の箱体１を示す斜視図である。箱体１は、紙等の可撓性を有する材料で形成されており、内容物が収容される本体１０と、本体１０に接続された蓋部２０と、本体１０内に配置された底板部３０と、底板部３０に取り付けられたホルダ部４０とを備えている。
図１には、箱体１に収容される内容物の一例として、シリンジ１００と、シリンジ１００に充填される薬剤１０１と、薬剤１０１の添付文書１０２とを示している。また、図示されていないが、シリンジに取り付けられる注射針も箱体１内に収容されている。
【００１１】
図２は、本体１０および蓋部２０の展開図である。本体１０は、四角形の底部１１と、底部１１の四辺から底部１１に対して略垂直に立ち上がる前壁１２、後壁１３、および左右の側壁１４との複数の壁部を有し、上部が開放された収容空間を有する。
【００１２】
蓋部２０は、本体１０と概ね同様の構成を有し、四角形の天部２１と、天部２１の四辺から天部２１に対して略垂直に立ち上がる前壁２２、後壁２３、および左右の側壁２４とを有する。天部２１は、底部１１よりも一回り大きい寸法を有している。前壁２２の一部は半円状に切り欠かれており、指掛け２５が形成されている。
【００１３】
本体１０の後壁１３と蓋部２０の後壁２３とは一体に接続されており、後壁部２とされている。箱体１は、後壁部２に設けられたヒンジ線（後述）を折り曲げることで蓋部２０を折り曲げ線を中心に回動させて開閉することができる。後壁１３と後壁２３との接続方法には特に制限はなく、接着等の公知の各種方法を適宜選択することができる。本実施形態では、本体１０と蓋部２０とが同一の材料で形成されており、本体の後壁１３と蓋部の後壁２３とが予め接続されている。
【００１４】
図３は、底板部３０の展開図である。底板部３０は、本体１０に対して固定される第一固定部３１と、本体１０に対して移動可能に本体１０内に配置されるスライド部３２と、蓋部２０に固定される第二固定部３３とを有する。
【００１５】
第一固定部３１は、底部３０上に重ねて配置される第一領域３１ａと、第一領域３１ａから略垂直に立ち上がる第二領域３１ｂとを有する。
スライド部３２は、第二領域３１ｂに接続される前部３２ａと、前部３２ａに接続された移動部３２ｂと、折線を挟んで移動部３２ｂと連設された反転部３２ｃとを有する。
【００１６】
第一固定部３１は、第二領域３１ｂを後壁１３側にして本体１０の内部空間の前壁１２側に配置されている。本体１０内には、第二領域３１ｂおよび前部３２ａによって、前壁１２および後壁１３と略平行に延びる仕切り３が形成されている。本体１０の内部空間は、仕切り３により、第一領域３１ａが底部に位置し、第一固定部３１によって規定される前側の空間（第一の空間）Ｓｐ１と、移動部３２ｂが底部に位置し、移動部３２ｂによって規定される後側の空間（第二の空間）Ｓｐ２との二つの空間に区切られている。内容物のうち、薬剤１０１、添付文書１０２、および注射針は、第一の空間に収納され、シリンジ１００は第二の空間に収容されている。仕切り３のうち、第二領域３１ｂは本体１０に対して固定されているが、前部３２ａは、第二領域３１ｂとの接続部を除き、第二領域３１ｂから離間する方向に移動可能である。
【００１７】
移動部３２ｂの左右方向（前壁１２の延びる方向）の寸法は、本体１０の幅方向の寸法と略同一である。また、移動部３２ｂの前後方向（側壁１４の延びる方向）の寸法Ｄ１は、図５に示すように、仕切り３と後壁１３との距離と略同一である。反転部３２ｃの連設方向、すなわち移動部３２ｂと反転部３２ｂとが並ぶ方向における寸法Ｄ２は、後壁１３の高さよりも長いため、箱体１が閉じられた状態（図５参照）において、移動部３２ｂの後端から前壁１２に向かって、後壁１３から離間するように傾いて立ち上がっている。以後、この状態における反転部３２ｃの折れ曲がりの向きを、「第一の方向」と称する。
【００１８】
第二固定部３３は、反転部３２ｃの後端に連設されており、蓋部２０内側の天部２１に接着等により固定されている。
ホルダ部４０は、シート状の基部４１と、基部４１から立ち上がる複数の支持部４２とを有する。本実施形態の支持部４２は、２つ設けられており、各支持部４２は、収容されるシリンジ１００に合わせて、断面が略円形の支持空間を形成している。シリンジ１００は、各支持部４２の指示空間に挿通されることにより、底板部３０に対して二点で支持されている。
【００１９】
箱体１の各部は、シート状の材料に対して折り曲げ、接着等の加工を適宜加えることにより形成されている。
図２に示す展開図の例では、本体１０と蓋部２０とが同一の材料で形成されており、本体の後壁１３と蓋部の後壁２３とが予め接続されている。後壁２３のうち、後壁１３との境界線とヒンジ線Ｌとの間の領域は、本体１０の外側に折り返されて後壁１３に接着される。これにより、蓋部２０は、本体１０に対して、後壁１３の上端よりも低い位置にあるヒンジ線Ｌを中心に回動可能となる。
【００２０】
図３に示した底板部３０の展開図の例では、第一領域３１ａと第二領域３１ｂとの境界線、前部３２ａと移動部３２ｂとの境界線、および反転部３２ｃと第二固定部３３との境界線には、断続的に切込み５１が設けられており、折れ曲がりやすくなっている。移動部３２ｂと反転部３２ｃとの境界線には、断続的に切欠き５２が設けられ、後述する開閉時の反転をしやすく加工されている。第二領域３１ｂには、本体１０の側壁１４に係止固定するための凸部５３が設けられている。凸部５３は、図２に示す側壁１４に設けられた係止溝５４に係止される。移動部３２ｂには、ホルダ部４０を係止固定するための係止切り込み５５および係止切欠き５６が形成されている。
【００２１】
図４に、ホルダ部４０の展開図の一例を示す。ホルダ部４０には、係止切り込み５５および係止切欠き５６に係止される係止凸部４３ないし４８が形成されている。ホルダ部４０は、支持部４２を立ち上げるように折り曲げてから係止凸部４３ないし４８を係止切り込み５５および係止切欠き５６に係止することで、底板部３０に取り付けることができる。
【００２２】
上記のように構成された箱体１の開閉時の動作について、図５から図７を参照して説明する。図５から図７では、動作をわかりやすくするため、ホルダ部４０を除いて箱体１を示している。
図５に示す箱体１が閉じた状態では、移動部３２ｂは、本体１０の底部１１に沿って配置されており、反転部３２ｃは、移動部３２ｂから前壁１２に向かうように立ち上がっており、上側が後壁１３から離間している。
【００２３】
蓋部２０を開くと、蓋部２０はヒンジ線Ｌを軸として本体１０に対して回動する。このとき、蓋部２０に固定された底板部３０の反転部３２ｃは、まず移動部３２ｂと反転部３２ｃとの境界線を軸として回転し、図６に示すように、本体１０の後壁１３と略平行となる。反転部３２ｃの前後方向の寸法は、後壁１３の高さよりも長いため、図６に示す状態では、反転部３２ｃの上端Ａが後壁１３の上端よりも高い位置に移動する。
【００２４】
さらに蓋部２０が回動されると、反転部３２ｃと第二固定部３３の接続部位が後壁１３よりも後側に移動する。それに伴い、前部３２ａが第二領域３１ｂから離間するとともに移動部３２ｂが底部１１から離間するように上方に引き上げられる。このとき、反転部３２ｃは、後壁１３の上端と接触した状態を保持し、後壁１３によって支持されている。
【００２５】
反転部３２ｃと移動部３２ｂとの境界線が後壁１３の上端部付近に移動すると、図７に示すように反転部３２ｃは境界線で第一の方向と反対の第二の方向に折れ曲がり、移動部３２ｂに対して反転する。
反転部３２ｃが反転した状態において、反転部３２ｃは、反転部３２ｃと移動部３２ｂとの境界線が位置する後壁１３の上端部から後方かつ下方に延びており、かつ蓋部２０の重みによる重力が作用している。これにより、蓋部２０は自然に閉じないように本体１０に対してロックされ、使用者が蓋部２０から手を離しても、蓋部が開いた状態が保持される。
このとき、移動部３２ｂは、本体１０の底部１１よりも高い位置に移動し、かつ上面を前壁１２側に向けている。その結果、移動部３２ｂ上に配置されたシリンジ１００等の収容物は取り出しやすくなり、箱体１が閉じられているときよりも視認性がよい位置に移動する。
【００２６】
以上説明したように、本実施形態の箱体１によれば、本体１０内に配置される底板部３０のうち、スライド部３２の一端が蓋部２０に固定されているため、蓋部２０を回動させて開くことでスライド部３２の移動部３２ｂが本体１０の底部１１よりも高い位置に移動する。その結果、本体の内部空間の深さ寸法が大きい等の場合であっても、開いた際には移動部３２ｂ上に配置された内容物を取りやすくかつ視認性の良い位置に移動させることができる。
【００２７】
ここで、蓋部２０は本体１０の後壁１３よりも低い位置に設けられたヒンジ線Ｌを中心に回動するため、蓋部２０を回動させることで、スライド部と蓋部との接続部位である反転部３２ｃと第二固定部３３との接続部位を後壁よりも後側に容易に移動させることができる。また、反転部３２ｃが後壁１３と略平行になった際に反転部の上端Ａが後壁１３の上端よりも高い位置に来るため、反転部３２ｃと第二固定部３３との接続部位が後壁１３の上端に引っ掛かることがなく、反転部が後壁を乗り越えることが容易となる。これらの作用により、比較的小さい力で蓋部を開け、スライド部を引き上げることができるとともに、蓋部２０を回動させた際に反転部３２ｃが反転し、移動部３２ｂを前壁１２側から見やすい角度に移動させることができ、蓋部２０を開いた状態でロックすることができる。
【００２８】
さらに、移動部３２ｂと反転部３２ｃとの境界線に切欠き５２が設けられているため、反転部３２ｃが容易に反転し、蓋部２０を開く際の操作抵抗を小さくすることができる。
【００２９】
また、本体１０内の収容空間が、蓋部２０を開いた際に底部が移動する第二の空間Ｓｐ２と、底部が動かない第一の空間Ｓｐ１とを有しているため、シリンジ１００等の取り出しにくい内容物を第二の空間に収容し、壊れやすい、こぼれやすい等により、あまり動かしたくない内容物を第一の空間に収容することができる。その結果、個々の内容物をそれぞれに適した態様で収容することが可能になり、使い勝手の良い箱体とすることができる。
【００３０】
また、第二の空間Ｓｐ２を規定する移動部３２ａに複数の支持部４２が設けられているため、蓋部を開いた際に移動部が動いても、第二の空間に収納された内容物を、複数個所で確実に保持し、本体外に飛び出す等の不具合を好適に防止することができる。
【００３１】
以上、本発明の各実施形態および実施例について説明したが、本発明の技術範囲は上記実施の形態に限定されるものではなく、本発明の趣旨を逸脱しない範囲において各構成要素に種々の変更を加えたり、削除したり、各実施形態の構成を組み合わせたりすることが可能である。
【００３２】
例えば、本発明において、第一固定部は必須ではない。すなわち、移動部の形状を底部と略同一とし、仕切りを設けない構成としてもよい。この場合、底板部は本体に固定されない構成となるが、蓋部を開いた際のスライド部の挙動には大きな変化はなく、同様の作用効果を奏する。
【００３３】
また、反転部は、箱体が閉じられた状態で本体の後壁と離間していてもよい。ただし、この場合は、蓋部の回動に伴って反転部が後壁と略平行となっても反転部は後壁と接触せず、反転部がさらに後壁に向かって傾くことで反転部と後壁とが接触する。したがって、反転部と後壁とが接触した際に、反転部と第二固定部との接続部位が後壁よりも後側に来るように反転部の前後方向の寸法を設定すると、上述の引っ掛かりを好適に防ぐことができ、好ましい。
【００３４】
また、箱体の各部をどのように形成するかは、自由に設定することができる。図８から図１１に、本発明の変形例の箱体における展開図を示す。図８から図１１には、箱体の各部に対応する部位に同一の符号を付している。
図８は変形例における蓋部２０の展開図、図９は、本体１０の展開図である。このように、蓋部と本体をそれぞれ別の材料で形成した後に後壁１３と後壁２３とを接着等により一体に接続してもよい。
図１０は、変形例における底板部３０の展開図、図１１はホルダ部４０の展開図である。この変形例では、底板部に係止切込みを設けず、基部４１を移動部３２ｂに接着することによりホルダ部４０が底板部３０に取り付けられる。
図８から図１１に示した展開図の変形例は、複雑な組み付け作業が必要ない構成であるため、工作機械を用いた自動組み立てに適している。
【００３５】
この他、ホルダ部の支持部の形状は、内容物に合わせて適宜変更してよいし、内容物によってはホルダ部を備えない構成としても構わない。
【００３６】
また、収容される内容物も、上述の例に限られず、文房具、装飾品、食品等、各種の内容物に本発明の箱体を適用できることは当然である。
【符号の説明】
【００３７】
１  箱体
１０  本体
１１  底部
１２  前壁
１３  後壁
２０  蓋部
３０  底板部
３１  第一固定部
３２ｂ  移動部
３２ｃ  反転部
４２  支持部
Ｌ  ヒンジ線
Ｓｐ１  空間（第一の空間）
Ｓｐ２  空間（第二の空間）
【図１】
2016132484.tif 000003
【図２】
2016132484.tif 000004
【図３】
2016132484.tif 000005
【図４】
2016132484.tif 000006
【図５】
2016132484.tif 000007
【図６】
2016132484.tif 000008
【図７】
2016132484.tif 000009
【図８】
2016132484.tif 000010
【図９】
2016132484.tif 000011
【図１０】
2016132484.tif 000012
【図１１】
2016132484.tif 000013